(57)【要約】【課題】  簡単な構造で広帯域のレーザノイズを確実にキャンセルできる光ピックアップ及びその光ピックアップを用いた光ディスク記録再生装置を提供すること。【解決手段】  光ディスク記録再生装置１は第１及び第２のレーザ光に夫々対応し、光ディスク２からの反射光を受光する第１及び第３の受光素子２２，２３と、光ディスク２からの反射光でなく直接受光する第１の波長のＦＰＤ２４及び第２の波長のＦＰＤ２５とを１つの基板上に搭載することとしたので、各受光素子のプロセスバラツキを抑えることができ、第１及び第３の受光素子２２，２３のＲＦ信号と第１の波長のＦＰＤ２４及び第２の波長のＦＰＤ２５とのＡＰＣ信号であるＦＰＤ信号とから広帯域のレーザノイズキャンセルを可能にできる。【選択図】  図３
2005038521.tif 000002
【特許請求の範囲】
【請求項１】
第１の波長の第１のレーザ光を射出する第１の光源と、
前記第１の波長と異なる第２の波長の第２のレーザ光を射出する第２の光源と、
前記第１のレーザ光のうち光ディスクからの反射光を受光する第１の受光素子及び前記第１のレーザ光を直接受光する第２の受光素子と、前記第２のレーザ光のうち光ディスクからの反射光を受光する第３の受光素子及び前記第２のレーザ光を直接受光する第４の受光素子とを搭載する基板と、
前記第１及び第２のレーザ光を前記光ディスクに照射させ、その反射光を夫々前記第１及び第３の受光素子に照射させると共に、前記第１及び第２のレーザ光を直接前記第２及び第４の受光素子に照射させる光学手段と
を具備することを特徴とする光ピックアップ。
【請求項２】
請求項１に記載の光ピックアップにおいて、
前記光学手段は、前記第１及び第２のレーザ光を３つの光束に分離する手段を有し、
前記第２及び第４の受光素子は、前記３つの光束を受光できるように前記第１及び第３の受光素子を夫々３つの受光素子に分割する方向に対し、直交する方向に配列されていることを特徴とする光ピックアップ。
【請求項３】
請求項２に記載の光ピックアップにおいて、
前記基板には、前記第１の受光素子と前記第３の受光素子と前記第２の受光素子と前記第４の受光素子とが、前記直交する方向にその順で配列されていることを特徴とする光ピックアップ。
【請求項４】
請求項３に記載の光ピックアップにおいて、
前記第１の受光素子と前記第２の受光素子との間隔は、前記第１の受光素子と前記第３の受光素子との間隔の１．５倍以上であって１５倍以下であることを特徴とする光ピックアップ。
【請求項５】
請求項１に記載の光ピックアップにおいて、
前記光学手段は、前記第１及び第２のレーザ光を夫々前記第２及び第４の受光素子に直接照射させるためのミラーを有することを特徴とする光ピックアップ。
【請求項６】
請求項１に記載の光ピックアップにおいて、
前記第４の受光素子は、前記第２の受光素子を共用するものであることを特徴とする光ピックアップ。
【請求項７】
第１の波長の第１のレーザ光を射出する第１の光源と、
前記第１の波長と異なる第２の波長の第２のレーザ光を射出する第２の光源と、
前記第１のレーザ光のうち光ディスクからの反射光を受光する第１の受光素子及び前記第１のレーザ光を直接受光する第２の受光素子と、前記第２のレーザ光のうち光ディスクからの反射光を受光する第３の受光素子及び前記第２のレーザ光を直接受光する第４の受光素子とを搭載する基板と、
前記第１及び第２のレーザ光を前記光ディスクに照射させ、その反射光を夫々前記第１及び第３の受光素子に照射させると共に、前記第１及び第２のレーザ光を直接前記第２及び第４の受光素子に照射させる光学手段と
を具備することを特徴とする光ディスク記録再生装置。
【請求項８】
請求項７に記載の光ディスク記録再生装置において、
前記光学手段は、前記第１及び第２のレーザ光を３つの光束に分離する手段を有し、
前記第２及び第４の受光素子は、前記３つの光束を受光できるように前記第１及び第３の受光素子を夫々３つの受光素子に分割する方向に対し、直交する方向に配列されていることを特徴とする光ディスク記録再生装置。
【請求項９】
請求項８に記載の光ディスク記録再生装置において、
前記基板には、前記第１の受光素子と前記第３の受光素子と前記第２の受光素子と前記第４の受光素子とが、前記直交する方向にその順で配列されていることを特徴とする光ディスク記録再生装置。
【請求項１０】
請求項９に記載の光ディスク記録再生装置において、
前記第１の受光素子と前記第２の受光素子との間隔は、前記第１の受光素子と前記第３の受光素子との間隔の１．５倍以上であって１５倍以下であることを特徴とする光ディスク記録再生装置。
【請求項１１】
請求項７に記載の光ディスク記録再生装置において、
前記光学手段は、前記第１及び第２のレーザ光を夫々前記第２及び第４の受光素子に直接照射させるためのミラーを有することを特徴とする光ディスク記録再生装置。
【請求項１２】
請求項７に記載の光ディスク記録再生装置において、
前記第４の受光素子は、前記第２の受光素子を共用するものであることを特徴とする光ディスク記録再生装置。
【発明の詳細な説明】
【技術分野】
【０００１】
本発明は、例えばＣＤ（Ｃｏｎｐａｃｔ  Ｄｉｓｋ）及びＤＶＤ（Ｄｉｇｉｔａｌ  Ｖｅｒｓａｔｉｌｅ  Ｄｉｓｋ）などの種々の光ディスクの記録再生に用いる光ピックアップ及びそのピックアップを用いた光ディスク記録再生装置に関する。
【背景技術】
【０００２】
従来、光ディスク記録再生装置の光ピックアップの光源として用いられるレーザ光のノイズをキャンセルする方法として、光ディスクに反射して得られた反射光を受光する受光素子と光ディスクに反射させないで受光する受光素子とを別個に設け、反射光を受光する受光素子からの再生高周波信号（再生ＲＦ信号）から反射させないで受光する受光素子からのＡＰＣ（Ａｕｔｏｍａｔｉｃ  Ｐｏｗｅｒ  Ｃｏｎｔｏｒｏｌ）用のモニタ出力信号を減算する方法が採られている。
【０００３】
また、再生ＲＦ信号生成用の受光素子と別個にＡＰＣ用のモニタ出力信号を生成する受光素子を設け、レーザノイズの加法的ノイズ成分と変調ノイズ成分との両方をキャンセルすることができるようにしたものもある（例えば、特許文献１参照。）。
【特許文献１】特開２００２−１８３９７０号公報（段落[００２９]、[００３０]及び[００７４]、図１）。
【発明の開示】
【発明が解決しようとする課題】
【０００４】
しかしながら、再生ＲＦ信号とＡＰＣ用のモニタ出力信号（以下単に「ＡＰＣ信号」という。）とが夫々別のＰＤＩＣ（Ｐｈｏｔｏ  Ｄｅｔｅｃｔｏｒ  Ｉｎｔｅｇｒａｔｅｄ  Ｃｉｒｃｕｉｔ）で検出するようにすると、例えばプロセス的なバラツキなどの色々なバラツキ要素が別々に乗ってきてしまう。その結果、レーザノイズをキャンセルできる量が変わってきてしまい、必ずしも十分には再生ＲＦ信号（以下単に「ＲＦ信号」という。）から全てのレーザノイズを確実にかつ簡単に除去することができないという問題があった。
【０００５】
また、近年１つのＬＤ（Ｌａｓｅｒ  Ｄｉｏｄｅ）チップで２つ以上の波長のレーザ発振を行うものが提案されているが、この様なレーザを用いた場合に波長によってＬＤの物理的な発光位置が異なるため、どちらかの波長に受光素子の位置を合わせてしまうと他方の波長の入射位置が変わってしまい確実なノイズキャンセルができなくなってしまうという問題もあった。
【０００６】
本発明は、上述の課題に鑑みてなされるもので、簡単な構造で広帯域のレーザノイズを確実にキャンセルできる光ピックアップ及びその光ピックアップを用いた光ディスク記録再生装置を提供することを目的とする。
【課題を解決するための手段】
【０００７】
上記目的を達成するために、本発明の主たる観点に係る光ピックアップは、第１の波長の第１のレーザ光を射出する第１の光源と、前記第１の波長と異なる第２の波長の第２のレーザ光を射出する第２の光源と、前記第１のレーザ光のうち光ディスクからの反射光を受光する第１の受光素子及び前記第１のレーザ光を直接受光する第２の受光素子と、前記第２のレーザ光のうち光ディスクからの反射光を受光する第３の受光素子及び前記第２のレーザ光を直接受光する第４の受光素子とを搭載する基板と、前記第１及び第２のレーザ光を前記光ディスクに照射させ、その反射光を夫々前記第１及び第３の受光素子に照射させると共に、前記第１及び第２のレーザ光を直接前記第２及び第４の受光素子に照射させる光学手段とを具備することを特徴とする。
【０００８】
ここで、「直接受光する」とは、光ディスクに反射させないでという意味であり例えば第１及び第２の光源から射出されたレーザ光をグレーティングやビームスプリッタなどを介して、第２及び第４の受光素子に照射させ、受光するものである。
【０００９】
本発明では、第１及び第２のレーザ光に夫々対応し、光ディスクからの反射光を受光する第１及び第３の受光素子と、直接受光する第２及び第４の受光素子とを１つの基板上に搭載することとしたので、各受光素子のプロセスバラツキを抑えることができ、第１及び第３の受光素子のＲＦ信号と第２及び第４の受光素子のＡＰＣ信号であるＦＰＤ（Ｆｒｏｎｔ  Ｐｈｏｔｏ  Ｄｅｔｅｃｔｏｒ）信号とから広帯域のレーザノイズキャンセルを可能にできる。また、１つの基板上の２つの波長の異なる光源であっても、夫々に適応した位置に受光素子を配置でき、安定した広帯域レーザノイズキャンセルを可能にできる。
【００１０】
本発明の一の形態によれば、前記光学手段は、前記第１及び第２のレーザ光を３つの光束に分離する手段を有し、前記第２及び第４の受光素子は、前記３つの光束を受光できるように前記第１及び第３の受光素子を夫々３つの受光素子に分割する方向に対し、直交する方向に配列されていることを特徴とする。これにより、サブビームのレーザ光同士で干渉しあうこと無しに、メインビームが入射する例えば４分割の受光素子が第１及び第３の受光素子で近接して配置でき、第１及び第２の光源の発光点の間隔を小さくできるので、レーザ光の光源の製造上良好な特質を得ることができる。
【００１１】
本発明の一の形態によれば、前記基板には、前記第１の受光素子と前記第３の受光素子と前記第２の受光素子と前記第４の受光素子とが、前記直交する方向にその順で配列されていることを特徴とする。これにより、第１の受光素子と第３の受光素子とをより近接して配置できるので、第１及び第２の光源の発光点の間隔を小さくできるので、レーザ光の光源の製造上良好な特質を得ることができる。また、通常同時には第１及び第２のレーザ光は照射されないので、第１の受光素子の隣に第３の受光素子が配列されることにより、隣の受光素子に照射されるレーザ光とで干渉することを防げる。
【００１２】
本発明の一の形態によれば、前記第１の受光素子と前記第２の受光素子との間隔は、前記第１の受光素子と前記第３の受光素子との間隔の１．５倍以上であって１５倍以下であることを特徴とする。これにより、あまり間隔が小さくなって各受光素子の配線が引き出せなくなるのと防止すると共に、間隔が大きすぎてパッケージに入らなくなってしまうことを防ぐことができる。ここで、夫々の「受光素子の間隔」とは、夫々の受光素子の中心点同士の間隔をいうものとする。
【００１３】
本発明の一の形態によれば、前記光学手段は、前記第１及び第２のレーザ光を夫々前記第２及び第４の受光素子に直接照射させるためのミラーを有することを特徴とする。これにより、第１及び第３の受光素子が搭載されている基板上に第２及び第４の受光素子を配置できると共に、ミラーの角度を調節することにより第２及び第４の受光素子の位置を適切なものにでき、レーザノイズのキャンセルが広帯域で安定して可能となる。
【００１４】
本発明の一の形態によれば、前記第４の受光素子は、前記第２の受光素子を共用するものであることを特徴とする。これにより、部品点数を少なくすることが可能でありコストの低減が図れる。
【００１５】
本発明の他の観点にかかる光ディスク記録再生装置は、第１の波長の第１のレーザ光を射出する第１の光源と、前記第１の波長と異なる第２の波長の第２のレーザ光を射出する第２の光源と、前記第１のレーザ光のうち光ディスクからの反射光を受光する第１の受光素子及び前記第１のレーザ光を直接受光する第２の受光素子と、前記第２のレーザ光のうち光ディスクからの反射光を受光する第３の受光素子及び前記第２のレーザ光を直接受光する第４の受光素子とを搭載する基板と、前記第１及び第２のレーザ光を前記光ディスクに照射させ、その反射光を夫々前記第１及び第３の受光素子に照射させると共に、前記第１及び第２のレーザ光を直接前記第２及び第４の受光素子に照射させる光学手段とを具備することを特徴とする。
【００１６】
本発明では、第１及び第２のレーザ光に夫々対応し、光ディスクからの反射光を受光する第１及び第３の受光素子と、直接受光する第２及び第４の受光素子とを１つの基板上に搭載することとしたので、各受光素子のプロセスバラツキを抑えることができ、第１及び第３の受光素子のＲＦ信号と第２及び第４の受光素子のＦＰＤ信号とから広帯域のレーザノイズキャンセルを可能にできる。また、１つの基板上の２つの波長の異なる光源であっても、夫々に適応した位置に受光素子を配置でき、安定した広帯域レーザノイズキャンセルを可能にできる。
【００１７】
本発明の一の形態によれば、前記光学手段は、前記第１及び第２のレーザ光を３つの光束に分離する手段を有し、前記第２及び第４の受光素子は、前記３つの光束を受光できるように前記第１及び第３の受光素子を夫々３つの受光素子に分割する方向に対し、直交する方向に配列されていることを特徴とする。これにより、サブビームのレーザ光同士で干渉しあうこと無しに、メインビームが入射する例えば４分割の受光素子が第１及び第３の受光素子で近接して配置でき、第１及び第２の光源の発光点の間隔を小さくできるので、レーザ光の光源の製造上良好な特質を得ることができる。
【００１８】
本発明の一の形態によれば、前記基板には、前記第１の受光素子と前記第３の受光素子と前記第２の受光素子と前記第４の受光素子とが、前記直交する方向にその順で配列されていることを特徴とする。これにより、第１の受光素子と第３の受光素子とをより近接して配置でき、第１及び第２の光源の発光点の間隔を小さくできるので、レーザ光の光源の製造上良好な特質を得ることができる。また、通常同時には第１及び第２のレーザ光は照射されないので、第１の受光素子の隣に第３の受光素子を配列することにより、隣の受光素子に照射されるレーザ光とで干渉することを防げる。
【００１９】
本発明の一の形態によれば、前記第１の受光素子と前記第２の受光素子との間隔は、前記第１の受光素子と前記第３の受光素子との間隔の１．５倍以上であって１５倍以下であることを特徴とする。これにより、あまり間隔が小さくなって各ＰＤの配線が引き出せなくなるのを防止すると共に、間隔が大きすぎてパッケージに入らなくなってしまうことを防ぐことができる。
【００２０】
本発明の一の形態によれば、前記光学手段は、前記第１及び第２のレーザ光を夫々前記第２及び第４の受光素子に直接照射させるためのミラーを有することを特徴とする。これにより、第１及び第３の受光素子が搭載されている基板上に第２及び第４の受光素子を配置できると共に、ミラーの角度を調節することにより第２及び第４の受光素子の位置を適切なものにでき、レーザノイズのキャンセルが広帯域で安定して可能となる。
【００２１】
本発明の一の形態によれば、前記第４の受光素子は、前記第２の受光素子を共用するものであることを特徴とする。これにより、部品点数を少なくすることが可能でありコストの低減が図れる。
【発明の効果】
【００２２】
以上のように、本発明によれば簡単な構造で広帯域のレーザノイズを確実にキャンセルできる。
【発明を実施するための最良の形態】
【００２３】
以下、本発明の実施の形態を図面に基づき説明する。なお、以下実施形態を説明するにあたっては、光ピックアップを用いた光ディスク記録再生装置のＣＤ及びＤＶＤの再生を中心に説明するが、これに限られるものではない。
【００２４】
図１は本発明の第１の実施形態に係る光ディスク記録再生装置のブロック図、図２は光ピックアップの概略説明図、図３は光ピックアップの各ＰＤ及びＦＰＤの配置説明図及び図４は光ピックアップのＦＰＤを共用する場合の配置説明図である。
【００２５】
図１に示すように光ディスク記録再生装置１は、例えば音楽情報や映像情報などが記録された光ディスク２が装着されており、光ディスク２を回転させるスピンドルモータ３、光ディスク２にレーザ光を照射させ電気信号に変換などさせる光ピックアップ４、そのスピンドルモータ３及び光ピックアップなどを駆動などさせるドライバ５、そのドライバ５を制御するドライバ制御部６、光ピックアップ４からのＦＰＤ信号とＰＤ信号とを増幅などするアンプ７、そのＦＰＤ信号をノイズキャンセルなどの処理をするノイズキャンセル回路８、ノイズキャンセルされた例えばＲＦ信号を復調、誤り検出及び訂正などの処理をして音楽情報などの信号を再生する信号処理部９、信号処理部９からの信号をアナログ信号に変換するＤ／Ａコンバータ１０、Ｄ／Ａコンバータ１０によりアナログ信号に変換された信号を音響情報などに変換し出力すると共に、操作ボタンなどによる操作情報を入力する入出力部１１、例えば入出力部１１から入力された音響情報などの図示しないエンコード処理手段や変調回路などを有する記録制御回路１２及び光ディスク記録再生装置１全体の動作の制御をする制御部１３などから構成されている。
【００２６】
ここで、光ディスク２は音響情報などが記録されたＣＤ（Ｃｏｍｐａｃｔ  Ｄｉｓｃ）、映像情報などが記録されたＤＶＤ（Ｄｉｇｉｔａｌ  Ｖｅｒｓａｔｉｌｅ  ｄｉｓｃ）などの記録媒体である。
【００２７】
次に、光ピックアップ４は例えば図２に示すようにレーザ光を射出するレーザ光源１４、そのレーザ光を３ビームに回折分離するグレーティング１５、分離された３ビームを光ディスク２に照射するレーザ光と光ディスク２に照射しないレーザ光に分離するビームスプリッタ１６、そのビームスプリッタ１６を透過したレーザ光を平行光にするコリメータレンズ１７、コリメータレンズ１７により平行光にされたレーザ光を光ディスク２上に集光する対物レンズ１８、グレーティング１５を射出しビームスプリッタ１６で屈折されたレーザ光を所定の受光素子に照射させるミラー１９、光ディスク２からの反射光がビームスプリッタ１６で屈折され入射する例えばシリンドリカルレンズにより構成されている検出レンズ２０及びその検出レンズ２０からのレーザ光を受光する第１及び第３の受光素子２２，２３とミラー１９から検出レンズ２０を通してレーザ光を受光する第２及び第４の受光素子２４，２５とが搭載された基板２１などを有する。
【００２８】
レーザ光源１４は、例えば波長７８０ｎｍのレーザ光を射出する第１の光源である第１の発光点２６と波長６５０ｎｍのレーザ光を射出する第２の光源である第２の発光点２７とをワンチップに形成したものであり、夫々の発光点間の間隔Ａは例えば１００μｍとなっている。
【００２９】
また、グレーティング１５はレーザ光源１４から射出されたレーザ光を１つのメインビームと２つのサブビームの３つのビームに分離するための回析格子であり、これによりトラッキング検出に差動プッシュプル法（ＤＰＰ法）を用いることができる。
【００３０】
更にビームスプリッタ１６は、グレーティング１５からのレーザ光の一部はそのまま透過させ、残りをミラー１９の方向に屈折させることができるものであり、更に透過したレーザ光が光ディスク２に反射して戻ってきたときは、その反射光を全て屈折することができるものである。
【００３１】
また、ミラー１９は図２に示すようにビームスプリッタ１６により屈折されたグレーティング１５からのレーザ光を例えばミラー１９と反対側に配置された各受光素子に照射するために、レーザ光を屈折するものである。このミラー１９の設置角度を調節することにより、光ディスク２からの反射光を受光する受光素子から所望の間隔を持つことができるようになる。
【００３２】
更に基板２１は、例えば光ディスク２からの反射光を受光する第１及び第３の受光素子２２，２３と光ディスク２に反射させないで受光させる第２及び第４の受光素子２４，２５とが、図２に示すように１枚のチップ上に形成されておりビームスプリッタ１６に対しミラー１９と反対側に設置されている。これにより、各受光素子を１枚のＰＤＩＣ化することが可能となり、例えば１つのウエハ上に各受光素子を集積した場合には、ＩＣプロセスのバラツキが無視できるため、問題となるのは回路設計の誤差のみとなり、１００ＭＨｚまで０．５ｎｓ以内の群遅延誤差を容易に確保でき、安定した広帯域レーザノイズキャンセルを可能にできる。
【００３３】
ここで、図３に示すように第１の受光素子２２（図中の左側の点線で囲まれた受光素子）は、第１の波長として７８０ｎｍの第１のレーザ光のうち光ディスク２からの反射光を受光し、図中のＹ軸方向に３つの受光素子に分割されている。
【００３４】
例えば図３中一番下方に２分割ＰＤ（Ｐｈｏｔｏ  Ｄｅｔｅｃｔｏｒ）２８、真ん中に４分割ＰＤ２９及び一番上に２分割ＰＤ３０が形成されている。
【００３５】
また、第１の受光素子２２の３つの分割方向であるＹ軸方向に対し、直交する方向であるＸ軸方向に並ぶように第３の受光素子２３（図中の右側の点線で囲まれた受光素子）が、第２の波長として６５０ｎｍの第２のレーザ光のうち光ディスク２からの反射光を受光し、第１の受光素子２２と同様に図中のＹ軸方向に３つの受光素子に分割されている。
【００３６】
例えば図３中一番下方に２分割ＰＤ３１、真ん中に４分割ＰＤ３２及び一番上に２分割ＰＤ３３が形成されている。
【００３７】
更に第１及び第３の受光素子２２，２３の分割方向（図中のＹ軸方向）に直交する方向（図中のＸ軸方向）で第３の受光素子２３の４分割ＰＤ３２の隣に、第１の波長として７８０ｎｍの第１のレーザ光のうちミラー１９からのレーザ光を受光する第２の受光素子（以下「第１の波長のＦＰＤ（Ｆｒｏｎｔ  Ｐｈｏｔｏ  Ｄｅｔｅｃｔｏｒ）」という。）２４が形成されている。
【００３８】
また、その第１の波長のＦＰＤ２４の右隣（図中のＸ軸方向）に第２の波長として６５０ｎｍの第２のレーザ光のうちミラー１９からのレーザ光を受光する第４の受光素子（以下「第２の波長のＦＰＤ（Ｆｒｏｎｔ  Ｐｈｏｔｏ  Ｄｅｔｅｃｔｏｒ）」という。）２５が形成されている。
【００３９】
すなわち、夫々３分割された第１及び３の受光素子２２，２３と第１及び第２の波長のＦＰＤ２４，２５は、３分割された方向に直交する方向（図２中のＸ軸方向）に第１及び３の受光素子２２，２３と第１及び第２の波長のＦＰＤ２４，２５の順に基板２１上に形成されている。
【００４０】
これにより、例えば第３の受光素子２３を第１の受光素子２２の分割方向（図中のＹ軸方向）に配置する場合に、第１の受光素子２２の４分割ＰＤ２９と第３の受光素子２３との間隔をレーザ光源１４の第１の発光点２６と第２の発光点２７との間隔Ａに対応させるためには、第１の受光素子２２と第３の受光素子２３との間隔が狭くなり、３つのビーム自体が干渉してしまうとか迷光となってしまうなどの問題が生じるが、図３に示すように第３の受光素子２３を第１の受光素子２２の分割方向（図中のＹ軸方向）と直交する方向（図中のＸ軸方向）に配置することによって、そのような問題を回避することができる。
【００４１】
更に、例えば図３に示すように第１の受光素子２２、第３の受光素子２３、第１の波長のＦＰＤ２４及び第２の波長のＦＰＤ２５の順に配列することによって、第１の受光素子２２と第３の受光素子２３とを無理なく、レーザ光源１４の第１の発光点２６と第２の発光点２７との間隔Ａに対応させることができ、間隔Ａをより小さくさせることも可能となり、光学的な読み取り性能も向上させることができるようになる。
【００４２】
例えば第１の受光素子２２、第１の波長のＦＰＤ２４、第３の受光素子２３及び第２の波長のＦＰＤ２５の順に配列すると、第１の受光素子２２と第３の受光素子２３との間隔をレーザ光源１４の第１の発光点２６と第２の発光点２７との間隔Ａに対応させるためには、第１の受光素子２２と第１の波長のＦＰＤ２４との間隔が非常に狭くなり、漏れ光とか配線などの問題が生じてしまうが、第１の受光素子２２、第３の受光素子２３、第１の波長のＦＰＤ２４及び第２の波長のＦＰＤ２５の順に配列することによって、そのような問題を回避できることとなる。更に光学特性及びＬＤ（Ｌａｓｅｒ  Ｄｉｏｄｅ）製造上良好な特性を得ることができる。
【００４３】
また、第１の受光素子２２、第３の受光素子２３、第１の波長のＦＰＤ２４及び第２の波長のＦＰＤ２５の順に配列することによって、すぐ隣には他の波長のレーザ光用の受光素子が並ぶことになる。この結果、通常異なる波長のレーザ光が同時に照射されることはないので、迷光や干渉を防ぐことができ広帯域でのノイズキャンセルが可能となる。
【００４４】
更に例えば第１の受光素子２２と第１の波長のＦＰＤ２４との間隔、具体的には図３に示すように第１の受光素子２２の中心点と第１の波長のＦＰＤ２４の中心点との間隔Ｃは、第１の受光素子２２と第３の受光素子２３との間隔、具体的には第１の受光素子２２の中心点と第３の受光素子２３の中心点との間隔Ｂの１．５倍以上でありかつ、１５倍以下となるように形成されている。より好ましくは、例えば間隔Ｂが１００μｍであるときは、間隔Ｃが２００μｍ以上あることが望ましい。
【００４５】
同様に、第３の受光素子２３と第２の波長のＦＰＤ２５との間隔、具体的には図３に示すように第３の受光素子２３の中心点と第２の波長のＦＰＤ２５の中心点との間隔Ｄは、第１の受光素子２２と第３の受光素子２３との間隔、具体的には第１の受光素子２２の中心点と第３の受光素子２３の中心点との間隔Ｂの１．５倍以上でありかつ、１５倍以下となるように形成されている。また、より好ましくは例えば間隔Ｂが１００μｍであるときは、間隔Ｄが２００μｍ以上あることが望ましい。
【００４６】
これにより、例えば第１の受光素子２２と第１の波長のＦＰＤ２４との間隔Ｃが狭くなりすぎて、ＰＤの周りに回路を配置することから光学的に厳しくなりかつ、その間に入る第３の受光素子２３などの配線が引けなくなったりすることを防ぐことができる。また、１５倍より間隔Ｃが広くなるとワンチップに搭載できなくなり、各受光素子をワンチップ化して夫々のＩＣプロセスのバラツキを無視できなくなる。しかし、１５倍以下にすることによりワンチップ化してＩＣプロセスのバラツキを無視できるようにでき、広帯域でのノイズキャンセルが可能となる。
【００４７】
また、ＦＰＤは受光面の大きさに対する制約が少ないので例えば図４に示すように第２の波長のＦＰＤ２５は第１の波長のＦＰＤ２４を共用できるように、第１の波長のＦＰＤ２４を第２の波長のメインビームも受光できるように少し大きめに形成してもよい。これにより、ミラー１９からの反射光の受光がより容易になると共にコストの軽減を図ることなどが可能となる。
【００４８】
ここで、４分割受光素子２９，３２は例えば夫々第１及び第２の波長のレーザ光でのＲＦ出力信号を生成すると共に、非点収差法によるフォーカスエラー出力信号を生成することができる。
【００４９】
更に２分割受光素子２８、３０及び３１，３３は例えば夫々第１及び第２の波長のレーザ光での差動プッシュプル法（ＤＰＰ法）により、４分割受光素子２９，３２とでトラッキングエラー出力信号を生成することができる。
【００５０】
また、第１及び第２の波長のＦＰＤ２４，２５はＡＰＣ出力信号であるＦＰＤ出力信号を生成することができる。尚、図３中の○印は例えば第１の波長である７８０ｎｍのレーザ光をグレーティング１５により３つのビームに分離して照射した状態のスポット位置を模式図的に示したものである。
【００５１】
具体的には、○印３４及び○印３６は第１の波長である７８０ｎｍのレーザ光のうち、光ディスク２の反射光のサブビーム、○印３５は同じく反射光のメインビームである。更に○印３７及び○印３９は第１の波長である７８０ｎｍのレーザ光のうち、ミラー１９から照射されるサブビーム、○印３８は同じくミラー１９から照射されるメインビームである。第２の受光素子２４では、実際に用いられるのはメインビーム○印３８である。
【００５２】
次にドライバ５は、例えば図示しないフォーカスドライバ、トラッキングドライバ及びスピンドルドライバなどを有し、光ピックアップ４の対物レンズ１８をフォーカス方向及びトラッキング方向などに動かすことができる。また、スピンドルドライバは、スピンドルモータ３の回転を制御することができる。
【００５３】
また、ドライバ制御部６は例えば図示しないフォーカス制御回路やトラッキング制御回路などを有し、制御部１３のコントロール下、アンプからのフォーカスエラー信号やトラッキングエラー信号などに基づいて、ドライバ５を制御することができる。
【００５４】
更にアンプ７は、例えば制御部１３のコントロールの下、第１の受光素子２２の４分割ＰＤ２９や第３の受光素子２３の４分割ＰＤ３２からの出力信号を所定の大きさまで増幅して、フォーカスエラー信号を生成したり、４分割の各領域からの信号を合算しＲＦ信号などを生成することができる。生成されたフォーカスエラー信号などは制御部１３を介しドライバ制御部６に供給され、ＲＦ信号はノイズキャンセル回路８に供給される。
【００５５】
また、アンプ７は、例えば制御部１３のコントロールの下、第１の波長のＦＰＤ２４及び第２の波長のＦＰＤ２５からの出力信号を所定の大きさまで増幅し、ＡＰＣ信号であるＦＰＤ信号を生成でき、ＦＰＤ信号はノイズキャンセル回路８に供給される。
【００５６】
更にノイズキャンセル回路８は、例えば制御部１３のコントロールの下、アンプ７から供給されたＲＦ信号からＦＰＤ信号を減算することができ、これによってＦＰＤ信号のＬＤノイズがＲＦ信号からキャンセルされ、ＬＤノイズキャンセルが広帯域で可能となる。また、ノイズキャンセルされたＲＦ信号は信号処理部９に供給され再生音楽情報などの信号に処理される。
【００５７】
また、入出力部１１は図示しない音響部、表示部、撮像部及び操作部などを有し、例えば制御部１３のコントロールの下、Ｄ／Ａコンバータ１０から供給されるアナログ信号に変換された音楽情報などを音響部のスピーカなどにより音声などにして出力することができる。
【００５８】
更に入出力部１１は、操作部の操作ボタンなどからの操作情報を制御部１３に受け渡すことができる。
【００５９】
また、制御部１３は例えば図示しない演算と制御とをするＣＰＵ（Ｃｅｎｔｒａｌ  Ｐｒｏｃｅｓｓｉｎｇ  Ｕｎｉｔ）、必要に応じて一時的に情報を記録し光ディスク記録再生装置１の制御をより円滑に行うＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）及びデータ格納部などを有する。
【００６０】
次に、以上のように構成された光ディスク記録再生装置１の動作についてＣＤの再生を中心に説明する。
【００６１】
まず、図１に示すように光ディスク記録再生装置１に光ディスク２がセットされ入出力部１１のボタン操作などにより電源が投入されると、制御部１３はドライバ制御部６及びドライバ５によりスピンドルモータ３を所定の回転数で回転させる。
【００６２】
また、制御部１３はドライバ制御部６及びドライバ５により図示しないスレッドモータを駆動させ、所定の光ディスク２の位置に光ピックアップ４を移動させると共に、ドライバ制御部６及びドライバ５によりレーザ光源１４に電流をリードパワーレベルに調節して、供給させる。
【００６３】
更に必要な電流が供給されたレーザ光源１４は、第１の発光点２６から例えば波長７８０ｎｍのレーザ光を射出する。射出されたレーザ光は例えば図２に示す実線（点線は第２の波長例えば６５０ｎｍのレーザ光の光線を示す。）のようにまず、グレーティング１５に入射し３つのビームに分離されビームスプリッタ１６に入射する。すなわち、回折格子であるグレーティング１５により、メインビームとサブビームに分離され、サブビームは信号を読み取るためのメインビームからトラックの左右方向に例えば１／２トラックだけずれた位置に照射されるように回折される。
【００６４】
また、ビームスプリッタ１６に入射した３つのビームからなるレーザ光は更に一部がそのまま透過し、コリメータレンズ１７に入射する。残りは、図２で示すようにミラー１９のほうへ屈折させられ射出する。
【００６５】
ミラー１９に入射したレーザ光はミラー１９で反射され基板２１上に形成された第１の波長のＦＰＤ（第２の受光素子）２４に図３に示す○印３８のように照射される。
【００６６】
一方、コリメータレンズ１７に入射したレーザ光はコリメータレンズ１７により平行光にされ、対物レンズ１８に入射する。そして、対物レンズ１８でレーザ光は光ディスク２の情報記録面に集光される。
【００６７】
更に情報記録面で反射された３つのビームからなるレーザ光は、対物レンズ１８及びコリメータレンズ１７を逆に戻り、ビームスプリッタ１６に入射する。
【００６８】
ビームスプリッタ１６に入射した光ディスク２からの反射光は、全てもしくは一部が屈折され射出し、基板２１上に形成された第１の受光素子２２に図３に示すように上下の２分割ＰＤ２８，３０と真ん中の４分割ＰＤ２９とに夫々○印３６、３４と○印３５のように３つのビームが照射されることとなる。
【００６９】
次に、図３に示す○印のようにレーザ光が照射されたときは、基板２１上の各受光素子により電気信号に変換されアンプ７にその信号が受け渡される。
【００７０】
ここで、アンプ７は例えば制御部１３のコントロール下、第１の波長のＦＰＤ２４からの出力信号を所定の大きさまで増幅し、ＡＰＣ信号であるＦＰＤ信号を生成してノイズキャンセル回路８に供給する。
【００７１】
また、アンプ７は例えば制御部１３のコントロール下、第１の受光素子２２の４分割ＰＤ２９の出力信号を所定の大きさに増幅し、フォーカスエラー信号を生成して、ドライバ制御部６に供給する。ドライバ制御部６は、フォーカスエラー信号をドライバ５に伝え、ドライバ５のフォーカスドライバにより光ピックアップ４の図示しない例えば２軸アクチュエータのフォーカスコイルによって、フォーカシングが行われる。
【００７２】
更にアンプ７は、例えば制御部１３のコントロール下、第１の受光素子２２の２分割ＰＤ２８，３０からの出力信号を所定の大きさに増幅し、その信号と４分割ＰＤ２９による出力信号とにより差動プッシュプル法（ＤＰＰ法）を用いて、トラッキングエラー信号を生成して、ドライバ制御部６に供給する。
【００７３】
ドライバ制御部６は、トラッキングエラー信号をドライバ５に伝えドライバ５のトラッキングドライバにより光ピックアップ４の図示しない例えば２軸アクチュエータのトラッキングコイルによって、トラッキングが行われる。
【００７４】
これによって、対物レンズ１８を常に適正な位置に保つことができ、再生の精度を確保できる。
【００７５】
また、アンプ７は例えば制御部１３のコントロール下、第１の受光素子２２の４分割ＰＤ２９の増幅された４分割の各領域からの信号を合算し、ＰＦ信号を生成してノイズキャンセル回路８に供給する。
【００７６】
次に、ノイズキャンセル回路８は例えば制御部１３のコントロール下、アンプ７より供給されたＲＦ信号からＦＰＤ信号を減算し、その後のＲＦ信号を信号処理部９に供給する。これにより、ＬＤノイズキャンセルが広帯域で可能となり、再生ジッタを軽減できることとなる。
【００７７】
また、信号処理部９は例えば制御部１３のコントロール下、供給されたノイズキャンセル済みのＲＦ信号を復調、誤り検出及び訂正などの処理をして音楽情報などの信号を生成し、Ｄ／Ａコンバータ１０に供給する。
【００７８】
更にＤ／Ａコンバータ１０は、例えば制御部１３のコントロール下、供給された音楽情報などの信号をアナログ信号に変換し、入出力部１１に供給する。
【００７９】
入出力部１１は、例えば制御部１３のコントロール下、供給された音響情報などを図示しない音響部のスピーカなどにより音声などにして出力し、光ディスク２に記録された音楽情報等が再生されることとなる。
【００８０】
以上で光ディスク記録再生装置１の動作の説明を終了する。
【００８１】
このように本実施形態によれば、光ディスク記録再生装置１は第１及び第２のレーザ光に夫々対応し、光ディスク２からの反射光を受光する第１及び第３の受光素子２２，２３と、光ディスク２からの反射光でなく直接受光する第１の波長のＦＰＤ２４及び第２の波長のＦＰＤ２５とを１つの基板上に搭載することとしたので、各受光素子のプロセスバラツキを抑えることができ、第１及び第３の受光素子２２，２３のＲＦ信号と第１の波長のＦＰＤ２４及び第２の波長のＦＰＤ２５とのＡＰＣ信号であるＦＰＤ信号とから広帯域のレーザノイズキャンセルを可能にできる。また、１つの基板上の２つの波長の異なる光源であっても、夫々に適応した位置に受光素子を配置でき、安定した広帯域レーザノイズキャンセルを可能にできる。更に広帯域レーザノイズキャンセルが可能となることから再生ジッタを軽減でき、システムマージンを拡大できる。その為、部品の加工精度や組み立て精度を緩和でき、コストダウンが可能となる。
【００８２】
また、第１の受光素２２の分割方向（図３のＹ軸方向）に直交する方向に第３の受光素子２３、第１の波長のＦＰＤ２４及び第２の波長のＦＰＤ２５が配列されているので、サブビームのレーザ光同士で干渉しあうこと無しに、メインビームが入射する例えば４分割の受光素子が第１及び第３の受光素子２２，２３で近接して配置でき、第１及び第２の光源の発光点２６，２７の間隔Ａを小さくできるので、レーザ光の光源の製造上良好な特質を得ることができる。
【００８３】
更に基板２１には、第１の受光素子２２と第３の受光素子２３と第１の波長のＦＰＤ２４と第２の波長のＦＰＤ２５とが、直交する方向（図３のＸ軸方向）にその順で配列されているので、第１の受光素子２２と第３の受光素子２３とをより近接して配置できる。従って、第１及び第２の光源の発光点２６，２７の間隔Ａを小さくできるので、レーザ光の光源の製造上良好な特質を得ることができる。また、通常同時には第１及び第２のレーザ光は照射されないので、第１の受光素子２２の隣に第３の受光素子２３を配列することにより、隣の受光素子に照射されるレーザ光とで干渉することを防げる。
【００８４】
また、第１の受光素子２２と第１の波長のＦＰＤ２４との間隔（図３中のＣ）は、第１の受光素子２２と第３の受光素子２３との間隔（図３中のＢ）の１．５倍以上であって１５倍以下としたので、あまり間隔が小さくなって各受光素子の配線が引き出せなくなるなどを防止すると共に、間隔が大きすぎてパッケージに入らなくなってしまうことを防ぐことができる。
【００８５】
更に光ディスク記録再生装置１は、光ディスク２に反射させなかった第１及び第２のレーザ光を夫々第１の波長のＦＰＤ２４及び第２の波長のＦＰＤ２５に照射させるためのミラー１９を有することとしたので、第１及び第３の受光素子２２，２３が搭載されている基板２１上に第１の波長のＦＰＤ２４及び第２の波長のＦＰＤ２５を配置できると共に、ミラー１９の角度を調節することにより第１の波長のＦＰＤ２４及び第２の波長のＦＰＤ２５の位置を適切なものにでき、レーザノイズのキャンセルが広帯域で安定して可能となる。
【００８６】
また、第２の波長のＦＰＤ２５は、第１の波長のＦＰＤ２４を共用するものとしたので、光ディスク記録再生装置１のコストの低減が図れる。
【００８７】
尚、本発明は上述したいずれの実施形態にも限定されず、本発明の技術思想の範囲内で適宜変更して実施できる。
【００８８】
例えば上述した実施形態では、レーザ光源１４として例えば７８０ｎｍの波長と６５０ｎｍの波長のレーザ光を射出できる１チップ２波長ＬＤの場合を説明したがこれに限られるものではなく、例えば３つ以上の波長ＬＤであってもよい。この場合、受光素子はそれに伴って増加することとなる。その場合も、受光素子の配列は第１の受光素子２２の分割方向（図３のＹ軸方向）に直交する方向に第３の受光素子２３などがまず配列され、その後に第１の波長のＦＰＤ２４、第２の波長のＦＰＤ２５などが続くこととなる。これによって、より多機能化が図れ、光ディスク記録再生装置１の利便性が拡大する。勿論その場合も、広帯域ＬＤノイズキャンセルが可能である。
【００８９】
また、上述した実施形態では第１の受光素子２２と第１の波長のＦＰＤ２４との間隔（図３中のＣ）は、第１の受光素子２２と第３の受光素子２３との間隔（図３中のＢ）の１．５倍以上であって１５倍以下としたがワンチップ化が図れるのであれば１５倍を超えるものであってもよい。これにより、多種多様な光ディスク記録再生装置で広帯域ＬＤノイズキャンセルが可能となる。
【００９０】
更に上述した実施形態では、光ディスク２の再生の場合について主に説明したがこれに限られるものではなく、レーザ光を用いて記録再生するものであれば他の記録媒体であってもよい。これにより、よりカスタマイズ化が図れることとなる。
【図面の簡単な説明】
【００９１】
【図１】本発明の第１の実施形態に係る光ディスク記録再生装置のブロック図である。
【図２】本発明の第１の実施形態に係る光ピックアップの概略説明図である。
【図３】本発明の第１の実施形態に係る光ピックアップの各ＰＤ及びＦＰＤの配置説明図である。
【図４】本発明の第１の実施形態に係る光ピックアップのＦＰＤを共用する場合の配置説明図である。
【符号の説明】
【００９２】
１  光ディスク記録再生装置
２  光ディスク
３  スピンドルモータ
４  光ピックアップ
５  ドライバ
６  ドライバ制御部
７  アンプ
８  ノイズキャンセル回路
９  信号処理部
１０  Ｄ／Ａコンバータ
１１  入出力部
１２  記録制御回路
１３  制御部
１４  レーザ光源
１５  グレーティング
１６  ビームスプリッタ
１７  コリメータレンズ
１８  対物レンズ
１９  ミラー
２０  検出レンズ
２１  基板
２２  第１の受光素子
２３  第３の受光素子
２４  第２の受光素子（第１の波長のＦＰＤ）
２５  第４の受光素子（第２の波長のＦＰＤ）
２６  第１の発光点
２７  第２の発光点
２８，３０，３１，３３  ２分割ＰＤ
２９，３２  ４分割ＰＤ
３４、３５，３６，３７，３８，３９  ○印
【図１】
2005038521.tif 000003
【図２】
2005038521.tif 000004
【図３】
2005038521.tif 000005
【図４】
2005038521.tif 000006